(57)【要約】【課題】規格の異なる各社のドックコネクタケーブルのドックコネクタ（雄型）部分を保持、固定することができるコネクタ保持装置を提供する。【解決手段】対向する一対の矩形押さえ板と、一対のクッション材と、一対のボルトとナットとで構成し、クッション材は平面視矩形で厚みのある形状に形成して一対の押さえ板の対向面に貼り付け、一対のボルトは各押さえ板の対向する短辺内側の同じ位置に一対の貫通孔を形成して連通させ、連通させた各ボルトの螺子部にナットを螺合させてその位置を調整することにより対向する押さえ板の間隔を狭めて一対のクッション材間に挿入したドックコネクタ部分を挟持する。【選択図】図３
2015037070.tif 000002
【特許請求の範囲】
【請求項１】
携帯機器と各種外部機器とを接続するドックコネクタケーブルのドックコネクタ（雄型）部分を保持して固定しておくためのコネクタ保持装置であって、
対向する一対の矩形押さえ板と、一対のクッション材と、一対のボルトとナットとから構成され、
前記クッション材は平面視矩形で厚みのある形状に形成して前記一対の押さえ板の対向面に貼り付けてあり、
前記一対のボルトは前記各押さえ板の対向する短辺内側の同じ位置に一対の貫通孔を形成して連通させ、連通させた各ボルトの螺子部に前記ナットを螺合させてその位置を調整することにより対向する押さえ板の間隔を狭めて前記一対のクッション材間に挿入したドックコネクタ（雄型）部分を挟持できるように構成してあることを特徴とするコネクタ保持装置。
【発明の詳細な説明】
【技術分野】
【０００１】
本発明は、携帯機器と各種外部機器とを接続するドックコネクタケーブルのドックコネクタ（雄型）部分を保持して特定位置に固定しておくコネクタ保持装置に関する。
【背景技術】
【０００２】
近年、携帯電話に代表される携帯機器が進歩、普及し、電話やインターネットを介して入手した音楽、動画、情報等を受信した携帯機器で利用するだけでなく、それらをパソコン、スピーカー、ディスプレイ等、その情報に最適な外部機器に送信して再生、利用することが多くなってきた。このため携帯機器メーカー、外部機器メーカーは携帯機器と外部機器間の信号送受信が容易にできるように各種機器の開発、改良を進めている。携帯機器と外部機器間で送受信される信号は音声信号、ビデオ信号、シリアル通信信号等、多種に渡る。これらをそれぞれの専用コネクタやケーブルを介して送受信するのでは面倒なため、一つのコネクタで複数種類の信号の入出力を一括して扱えるようにしたドックコネクタと呼ばれるコネクタが開発された。
【０００３】
このコネクタを接続したケーブルはドックコネクタケーブルと呼ばれ、その一端には電源ラインを含む多種信号の入出力が可能なドックコネクタ（雄型）が接続され、他端にはＵＳＢコネクタ、ＢＮＣコネクタ、ピンジャック／ピンプラグ等、用途に合わせたコネクタが接続される。ＵＳＢコネクタを接続したドックコネクタケーブルの場合は、一端のドックコネクタ（雄型）に携帯機器本体のドックコネクタ（雌型）を接続し、他端のＵＳＢコネクタをパソコン、ＡＣ−ＤＣ電源装置、その他のＵＳＢコネクタを備える外部機器に接続するだけで、携帯機器と外部機器間で各種信号の送受信が可能となる。携帯機器は本来的に携帯して使用するものであり、携帯機器をドックコネクタケーブルのドックコネクタ（雄型）に接続するのは、他端のＵＳＢコネクタ等を外部機器に接続してそれらと送受信を行なう間のみである。携帯しての使用と外部機器に接続しての使用の２種類が行なわれるため、ドックコネクタケーブルへの接続、解放の頻度はかなり高くなる。
【０００４】
こうした高い頻度の接続、解放操作を簡単に行なうには、ドックコネクタケーブルのドックコネクタ（雄型）はいつも同じ場所に固定して取り付けてあると便利である。そうした要望に応え、ドックコネクタケーブルのドックコネクタ（雄型）部分の規格に合わせたコネクタ保持装置を有する製品も市販されている。しかし、ドックコネクタの規格は携帯機器メーカーにより異なるため、ドックコネクタ（雄型）部分の規格に合わせたコネクタ保持装置では特定の会社の携帯機器にしか適用できない。このため、異なるメーカーの携帯機器を使用する必要が生じた際は、ドックコネクタケーブルをそのメーカーのものに簡単に交換でき、そのドックコネクタ（雄型）を交換前と同じ位置に保持、固定しておけるコネクタ保持装置が望まれる。
【発明の概要】
【発明が解決しようとする課題】
【０００５】
本発明は、従来技術のこうした問題を解決するためになされたもので、その課題は規格の異なる各社のドックコネクタケーブルのドックコネクタ（雄型）部分を保持、固定することが可能で、それにより携帯機器と各種外部機器との接続を簡単、迅速、容易に行なえるようにするコネクタ保持装置を提供することにある。
【課題を解決するための手段】
【０００６】
前記課題を解決するための請求項１に記載の発明は、携帯機器と各種外部機器とを接続するドックコネクタケーブルのドックコネクタ（雄型）部分を保持して固定しておくためのコネクタ保持装置であって、対向する一対の矩形押さえ板と、一対のクッション材と、一対のボルトとナットとから構成され、クッション材は平面視矩形で厚みのある形状に形成して一対の押さえ板の対向面に貼り付けてあり、一対のボルトは各押さえ板の対向する短辺内側の同じ位置に一対の貫通孔を形成して連通させ、連通させた各ボルトの螺子部にナットを螺合させてその位置を調整することにより対向する押さえ板の間隔を狭めて一対のクッション材間に挿入したドックコネクタ（雄型）部分を挟持できるように構成してあることを特徴とするコネクタ保持装置である。
【０００７】
このようなコネクタ保持装置を使用すれば、ドックコネクタケーブルのドックコネクタ（雄型）部分をクッション材で挟んで保持し、特定位置に固定しておくことができる。クッション材で挟んで保持する方式であるため、規格の異なるドックコネクタケーブルに交換することも容易である。ドックコネクタ（雄型）の位置が固定されているため、充電、パソコンとの接続、音楽・動画再生等の必要が生じた際にはドックコネクタ（雌型）を備える携帯機器を簡単に接続できる。ドックコネクタケーブルの他端側コネクタに、例えばＵＳＢコネクタを使用すれば、ＵＳＢコネクタを備える各種周辺機器と携帯機器とを簡単、容易に接続できる。また、ＵＳＢコネクタ以外の他の型式のコネクタが接続されたドックコネクタケーブルの保持、固定にも使用できるので汎用性が高い。
【図面の簡単な説明】
【０００８】
【図１】本発明に係るコネクタ保持装置１の正面図、平面図である。
【図２】コネクタ保持装置１の分解斜視図である。
【図３】コネクタ保持装置１でドックコネクタケーブル１１のドックコネクタ（雄型）１０を保持した状態の正面図と平面図である。
【図４】コネクタ保持装置１でドックコネクタケーブル１１に携帯端末と各種外部機器を接続する説明図である。
【発明を実施するための形態】
【０００９】
以下、本発明に係るコネクタ保持装置の一実施形態について図面を参照して説明する。図１の（１）は本実施形態に係るコネクタ保持装置１の正面図、図１の（２）は平面図、図２は分解斜視図である。コネクタ保持装置１は図２の分解斜視図に示すように、一対の押さえ板２と、一対のクッション材３と、一対のボルト４とナット６とから構成される。
【００１０】
押さえ板２は細長矩形に形成され、対向する短辺の内側位置にはボルト４を挿通させる一対の貫通孔７が２枚の押さえ板２に共通に形成してある。素材には金属板、合成樹脂板等を用いる。クッション材３はゴム、スポンジ等を平面視矩形で厚みのある直方体形状に形成したもので、短辺幅は押さえ板２の短辺幅に略等しく、長辺長さは一対の貫通孔７間に納まる長さにしてある。クッション材３は一対の押さえ板２の対向面に接着剤、粘着テープ等を使用して貼り付けてある。
【００１１】
コネクタ保持装置１を組み立てる際は、最初に図１に示すようにクッション材３を貼り付けた２枚の押さえ板２を向かい合わせに立てる。次いで、各押さえ板２の対向する短辺の内側位置に設けた一対の貫通孔７にボルト４を連通させ、連通により押さえ板２の反対側に突出した螺子部にワッシャー５を挟んでナット６を螺合させる。一対のクッション材３が互いに接触していない状態では２枚の押さえ板２間の間隔は定まらないが、クッション材３が互いに接触した状態では２枚の押さえ板２に間隔を広げる力が働くため、間隔はナット６の締め位置で決まる。
【００１２】
本実施形態のコネクタ保持装置１は、ドックコネクタケーブルのドックコネクタ（雄型）部分を保持、固定しておくことを目的としている。ドックコネクタケーブルは、ケーブルの一端にドックコネクタ（雄型）を、他端には例えば、ＵＳＢコネクタを接続したケーブルである。このドックコネクタケーブルのドックコネクタ（雄型）部分を保持する際は、図１に示す一対のクッション材３間にドックコネクタ（雄型）１０を横方向から挿入する。次いで、ナット６を回して２枚の押さえ板間の間隔を狭め、図３の（１）の正面図、図３の（２）の平面図に示すようにクッション材３間にドックコネクタ（雄型）１０を挟持する。ドックコネクタ（雄型）１０を挟持したコネクタ保持装置１は、所望の設置場所にそれぞれの方法で固定する。
【００１３】
ドックコネクタケーブル１１のケーブルの他端には、多くの場合、ＵＳＢコネクタ１２（雄型）が接続される。パソコン、ＡＣ−ＤＣ電源装置、ビデオディスプレイ装置、オーディオ機器等、今日では多くの外部機器がＵＳＢコネクタ（雌型）を備える。従って、本実施形態のコネクタ保持装置１を使用すれば、図４に示すようにＵＳＢコネクタ１２（雄型）を外部機器に長く接続したままにしたり、必要な時のみ接続したりする際は、保持、固定したドックコネクタ（雄型）１０に携帯機器１５を接続するだけで簡単に携帯機器と外部機器とを繋ぐことができる。コネクタ保持装置１を所定場所に固定しておけば、そうした作業は極めて簡単になる。ドックコネクタ（雄型）１０をクッション材３間に挟持して保持する方式であるため、規格の異なるドックコネクタケーブルに交換することも容易で汎用性が高い。
【符号の説明】
【００１４】
図面中、１はコネクタ保持装置、２は矩形押さえ板、３はクッション材、４はボルト、５はワッシャー、６はナット、１０はドックコネクタ（雄型）、１１はドックコネクタケーブル、１５は携帯機器を示す。
【図１】
2015037070.tif 000003
【図２】
2015037070.tif 000004
【図３】
2015037070.tif 000005
【図４】
2015037070.tif 000006